【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
表示部と、
数字及び数字以外の文字が割り当てられる入力キーと、電話発信を行うための発信キーと、を含む操作部と、
前記電話発信の処理を行う電話発信処理部と、
前記表示部に待ち受け画面が表示された状態で、前記入力キーが操作されると、当該入力キーに割り当てられる数字及び数字以外の文字をそれぞれ前記表示部に表示させ、当該操作によって数字及び数字以外の文字が前記表示部に表示された状態で、前記発信キーが操作されると、表示されている数字を用いて電話発信の処理を前記電話発信処理部に行わせる制御部と、
を備える携帯電話装置。
【請求項２】
表示部と、
数字を含む複数の入力種別の文字が割り当てられる入力キーと、電話発信を行うための発信キーと、を含む操作部と、
前記表示部に待ち受け画面が表示された状態で、前記入力キーが操作されると、当該入力キーに割り当てられる複数の入力種別の文字をそれぞれ前記表示部に表示させる制御部と、を備え、
前記制御部は、前記表示部に前記複数の入力種別の文字が表示された状態で、前記発信キーが操作されると、表示されている数字を用いて電話発信の処理を行う画面を前記表示部に表示させる文字入力装置。
【請求項３】
前記操作部は、前記電話発信の処理とは異なる機能の実行を指示する機能キーをさらに含み、
前記制御部は、前記表示部に前記複数の入力種別の文字が表示された状態で、前記機能キーが操作された場合に、前記複数の入力種別の中からいずれか一つの入力種別の文字が入力された状態で、操作された前記機能キーに割り当てられる機能を実行させた画面を前記表示部に表示させる請求項２記載の文字入力装置。
【請求項４】
前記操作部は、前記電話発信の処理とは異なる機能の実行を指示する複数の機能キーをさらに含み、
前記複数の機能キーは、それぞれ異なる入力種別が対応付けられており、
前記制御部は、前記表示部に前記複数の入力種別の文字が表示された状態で、前記複数の機能キーの中からいずれか一つの機能キーが操作された場合に、操作された前記機能キーに対応付けられている入力種別の文字が入力された状態で、操作された前記機能キーに割り当てられる機能を実行させた画面を前記表示部に表示させる請求項２記載の文字入力装置。
【請求項５】
前記機能キーは、前記複数の入力種別のうち２以上の入力種別が対応付けられており、
前記制御部は、操作された前記機能キーの押下時間に応じて当該機能キーに対応付けられる入力種別を変更させる請求項３又は４に記載の文字入力装置。
【請求項６】
前記機能キーは、複数の機能が割り当てられており、
前記制御部は、操作された前記機能キーの押下時間に応じて当該機能キーに割り当てられる機能を変更させる請求項３乃至５のいずれか一項に記載の文字入力装置。
【請求項７】
前記複数の入力種別は、数字、ひらがな、英字、及びかたかなのうちいずれか２以上の入力種別を含む請求項２乃至５のいずれか一項に記載の文字入力装置。
【請求項８】
前記複数の入力種別のうち前記表示部に表示する入力種別を設定する設定部を備える請求項２乃至５のいずれか一項に記載の文字入力装置。
【請求項９】
少なくとも表示部を備える文字入力装置の表示制御方法において、
前記表示部に待ち受け画面が表示された状態で、文字入力操作が行われると、当該文字入力操作に割り当てられた数字を含む複数の入力種別の文字をそれぞれ前記表示部に表示する第１の表示工程と、
前記表示部に前記複数の入力種別の文字が表示された状態で、発信操作が行われた場合に、表示されている数字を用いて電話発信の処理を行う画面を表示する第２の表示工程と、を有する表示制御方法。
【手続補正２】
【補正対象書類名】明細書
【補正対象項目名】発明の名称
【補正方法】変更
【補正の内容】
【発明の名称】携帯端末装置、文字入力装置及び表示制御方法
【手続補正３】
【補正対象書類名】明細書
【補正対象項目名】０００８
【補正方法】変更
【補正の内容】
【０００８】
本発明に係る携帯端末装置は、上記課題を解決するために、表示部と、数字及び数字以外の文字が割り当てられる入力キーと、電話発信を行うための発信キーと、を含む操作部と、前記電話発信の処理を行う電話発信処理部と、前記表示部に待ち受け画面が表示された状態で、前記入力キーが操作されると、当該入力キーに割り当てられる数字及び数字以外の文字をそれぞれ前記表示部に表示させ、当該操作によって数字及び数字以外の文字が前記表示部に表示された状態で、前記発信キーが操作されると、表示されている数字を用いて電話発信の処理を前記電話発信処理部に行わせる制御部と、を備える構成である。
【手続補正４】
【補正対象書類名】明細書
【補正対象項目名】０００９
【補正方法】変更
【補正の内容】
【０００９】
また、本発明に係る文字入力装置は、上記課題を解決するために、表示部と、数字を含む複数の入力種別の文字が割り当てられる入力キーと、電話発信を行うための発信キーと、を含む操作部と、前記表示部に待ち受け画面が表示された状態で、前記入力キーが操作されると、当該入力キーに割り当てられる複数の入力種別の文字をそれぞれ前記表示部に表示させる制御部と、を備え、前記制御部は、前記表示部に前記複数の入力種別の文字が表示された状態で、前記発信キーが操作されると、表示されている数字を用いて電話発信の処理を行う画面を前記表示部に表示させることを特徴とする。
【手続補正５】
【補正対象書類名】明細書
【補正対象項目名】００１０
【補正方法】変更
【補正の内容】
【００１０】
また、文字入力装置では、前記操作部は、前記電話発信の処理とは異なる機能の実行を指示する機能キーをさらに含み、前記制御部は、前記表示部に前記複数の入力種別の文字が表示された状態で、前記機能キーが操作された場合に、前記複数の入力種別の中からいずれか一つの入力種別の文字が入力された状態で、操作された前記機能キーに割り当てられる機能を実行させた画面を前記表示部に表示させることが好ましい。
【手続補正６】
【補正対象書類名】明細書
【補正対象項目名】００１１
【補正方法】変更
【補正の内容】
【００１１】
また、文字入力装置では、前記操作部は、前記電話発信の処理とは異なる機能の実行を指示する複数の機能キーをさらに含み、前記複数の機能キーは、それぞれ異なる入力種別が対応付けられており、前記制御部は、前記表示部に前記複数の入力種別の文字が表示された状態で、前記複数の機能キーの中からいずれか一つの機能キーが操作された場合に、操作された前記機能キーに対応付けられている入力種別の文字が入力された状態で、操作された前記機能キーに割り当てられる機能を実行させた画面を前記表示部に表示させることが好ましい。
【手続補正７】
【補正対象書類名】明細書
【補正対象項目名】００１２
【補正方法】変更
【補正の内容】
【００１２】
また、文字入力装置では、前記機能キーは、前記複数の入力種別のうち２以上の入力種別が対応付けられており、前記制御部は、操作された前記機能キーの押下時間に応じて当該機能キーに対応付けられる入力種別を変更させることが好ましい。
【手続補正８】
【補正対象書類名】明細書
【補正対象項目名】００１３
【補正方法】変更
【補正の内容】
【００１３】
また、文字入力装置では、前記機能キーは、複数の機能が割り当てられており、前記制御部は、操作された前記機能キーの押下時間に応じて当該機能キーに割り当てられる機能を変更させることが好ましい。
【手続補正９】
【補正対象書類名】明細書
【補正対象項目名】００１４
【補正方法】変更
【補正の内容】
【００１４】
また、文字入力装置では、前記複数の入力種別は、数字、ひらがな、英字、及びかたかなのうちいずれか２以上の入力種別を含むことが好ましい。
【手続補正１０】
【補正対象書類名】明細書
【補正対象項目名】００１５
【補正方法】変更
【補正の内容】
【００１５】
また、文字入力装置では、前記複数の入力種別のうち前記表示部に表示する入力種別を設定する設定部を備えることが好ましい。
【手続補正１１】
【補正対象書類名】明細書
【補正対象項目名】００１６
【補正方法】変更
【補正の内容】
【００１６】
また、本発明に係る表示制御方法は、上記課題を解決するために、少なくとも表示部を備える文字入力装置の表示制御方法において、前記表示部に待ち受け画面が表示された状態で、文字入力操作が行われると、当該文字入力操作に割り当てられた数字を含む複数の入力種別の文字をそれぞれ前記表示部に表示する第１の表示工程と、前記表示部に前記複数の入力種別の文字が表示された状態で、発信操作が行われた場合に、表示されている数字を用いて電話発信の処理を行う画面を表示する第２の表示工程と、を有する構成である。